(57)【要約】【課題】  社外に設置された複写機では、その場で料金を支払わなければ複写が行えないため、仕事で必要なドキュメントやプレゼン用資料を社外で複写したい場合、複写料金をユーザーが立替て複写を行い、後で会社に請求するといった煩わしい作業が必要となる。  このような場合、ドキュメントの複写状況によって、直接料金を投入しなくても、複写が行えることが望ましい。【解決手段】  課金先及び課金方法を示す情報を複数原稿に付加することにより、複写時に料金をその場で投入しなくても複写可能とし、また、状況に応じて、ユーザーが課金方法を選択可能とする。【選択図】  図１
2010011045.tif 000002
【特許請求の範囲】
【請求項１】
課金先及び課金方法を示す情報が付加された情報付文書を生成する画像処理装置であって、
画像データを入力する画像入力手段と、
課金先及び課金方法を示す情報を入力する課金先・課金方法情報入力手段と、
前記画像データに課金先・課金方法を示す情報を付加する付加手段と、
前記付加手段より生成された課金先・課金方法情報が付加された画像データを紙文書として出力する出力手段を有することを特徴とする画像処理装置。
【請求項２】
請求項１に記載の画像処理装置より生成された課金先及び課金方法を示す情報が付加された情報付文書を複写する複写装置であって、
情報付文書をスキャンし電子データとして扱える画像データを生成する複写文書生成手段と、
前記画像データに付加された課金先及び課金方法を示す情報を抽出する抽出手段と、
前記課金方法を示す情報から課金方法を選択する選択手段と、
複写文書を出力する出力手段を有することを特徴とする複写装置。
【請求項３】
請求項２に記載の複写装置とネットワークで接続された課金処理を行う情報処理装置であって、
前記複写装置から送信されたパスワードを検証する検証手段と、
パスワードが正しい場合に課金処理を行う課金処理手段と、
印刷情報と課金処理結果を保持する保持手段
を有することを特徴とする情報処理装置。
【請求項４】
請求項１に記載の画像処理装置と、請求項２に記載の複写装置と、請求項３に記載の情報処理装置を備えたことを特徴とする複写料金課金システム。
【発明の詳細な説明】
【技術分野】
【０００１】
本発明は、デジタル複写紙媒体複写の際、複写料金を有効に課金するための課金方法及び装置、並びにその方法を実行するプログラム、及びそのプログラムを記憶した記憶媒体に関するものであり、特に画像処理装置、複写装置、情報処理装置、及び複写料金課金システムに関する。
【背景技術】
【０００２】
近年、デジタル複写機の普及により、紙媒体の原稿を容易に複写することが可能である。
【０００３】
複写料金課金システムにおいて、社内に設置されている複写機は、複写の際、料金投入の必要なく複写が行える。これに対して、社外、例えば、図書館などの公共施設や、コンビニエンスストアに設置されている複写機は、複写の際、ユーザーが料金を複写機または複写機付属の料金投入機に投入することにより、複写を行うのが一般的である。また、複写時に現金を投入するのではなく、複写が終了した後、複写機が設置されているお店のレジや受付で複写料金を精算する方法もある。
【０００４】
上記の例として、下記特許文献１と特許文献２をあげることが出来る。
【特許文献１】特開2000-224406号公報
【特許文献２】特開2000-163488号公報
【発明の開示】
【発明が解決しようとする課題】
【０００５】
しかしながら，社外に設置された複写機では、その場で料金を支払わなければ複写が行えないため、仕事で必要なドキュメントやプレゼン用資料を社外で複写したい場合、複写料金をユーザーが立替て複写を行い、後で会社に請求するといった煩わしい作業が必要となる。
【０００６】
このような場合、ドキュメントの複写状況によって、直接料金を投入しなくても、複写が行えることが望ましい。
【課題を解決するための手段】
【０００７】
本発明の複写料金課金システムでは、上記問題点を鑑み、
課金先及び課金方法を示す情報を複数原稿に付加することにより、複写時に料金をその場で投入しなくても複写を行うことが可能であり、また、状況に応じて、ユーザーが課金方法を選択可能である複写料金課金システムことを特徴とするものである。
【発明の効果】
【０００８】
課金先及び課金方法を示す情報を複数原稿に付加することにより、紙媒体の文書を複写する際、料金をその場で支払わなくても複写を行うことが可能であり、また、状況に応じて、ユーザーが課金方法を選択することが可能である。
【発明を実施するための最良の形態】
【０００９】
次に、本発明の詳細を実施例の記述に従って説明する。
【実施例１】
【００１０】
＜システム全体の機能構成＞
以下、本発明の複写料金課金システムにおける好適な実施形態を図面を用いて説明する。
【００１１】
図１に、本実施形態における複写料金課金システムのシステム全体の主要な機能構成を説明するブロック図を示す。
【００１２】
図１に示すように、本実施形態における複写料金課金システムは画像処理装置11、複写装置12、情報処理装置13から構成されている。
【００１３】
本実施形態において、画像処理装置11は、オリジナル文書から課金先及び課金方法を示す情報が付加された情報付文書を生成可能な装置であり、複数の機器（例えば、スキャナ、コンピュータ、プリンタ等）から構成される装置でも、一つの機器からなる装置（例えば，複写機，複合機、ファクシミリ装置等）でも適用可能である。
【００１４】
また、複写装置12は、複写文書を生成可能な装置であって、複写機、複合機、ファクシミリ装置等を適用可能である。さらに、複写装置12は、前記画像処理装置11より生成された情報付文書から付加された情報を読み取り、ネットワークを介して情報処理装置13と通信する機能をもつ。
【００１５】
更に、情報処理装置13は、複写装置12が複写文書を生成する際、複写料金の課金処理が可能な装置であり、一般に普及しているパーソナルコンピュータや、Webサーバのような種々の情報を蓄積し、かつ、返信可能なネットワーク上に配置された、クレジットまたはデビット機能に対応した処理が可能なサーバや、CPUとメモリ等を有した小型機器を適応可能である。
【００１６】
＜ハードウェア構成＞
図２は本実施形態に適用可能な画像処理装置11、複写装置12、及び情報処理装置13のハードウェア構成を示したものである。尚、実施例の実現に当たっては、図２に示される全ての機能を使用することは必須ではない。図２において、コンピュータ201は、例えば一般に普及しているパーソナルコンピュータであり、スキャナ217から読み取られた画像を入力し、編集・保管することが可能である。更に、ここで得られた画像をプリンタ218から印刷させることが可能である。また、ユーザーからの各種マニュアル指示等は、マウス215、キーボード216からの入力により行われる。更に、モデム214を用いて他のコンピュータと種々のデータを送受信することが可能である。
【００１７】
コンピュータ201の内部では、バス213により後述する各ブロックが接続され、種々のデータの受け渡しが可能である。
【００１８】
図２において、モニタ202は、コンピュータからの種々の情報を表示することの出来るモニタである。CPU203は、内部の各ブロックの動作を制御、或いは内部に記憶されたプログラムを実行することのできるCPUである。ROM204は、BIOSやブートプログラムを記憶しているROMである。RAM205はCPU203にて処理を行うために一時的にプログラムや処理対象の画像データを格納しておくRAMであり、ここにOSや実施形態で説明する各種処理を行うためのプログラムがロードされることになる。
【００１９】
I/F206は、マウス215或いはキーボード216からの入力指示を受け付けたり、モデム214を用いて他のコンピュータとデータを送受信するためにこれらと接続されるインターフェイス（I/F）である。
【００２０】
I/F207は、スキャナ217から入力された画像データを受け付け、HDD211やRAM205に記憶するためにこれらと接続されるインターフェイス（I/F）である。
【００２１】
CD208は、外部記憶媒体の一つであるCDに記憶されたデータを読み込み或いは書き出すことのできるCDドライブである。FD209は、CD208と同様にFDからの読み込み、FDへの書き出しができるFDドライブである。DVD210も、CD208と同様にDVDからの読み込み、DVDへの書き出しができるDVDドライブである。尚、CD、FD、DVD等に画像編集用のプログラムが記憶されている場合には、これらプログラムをHDD211上にインストールし、必要に応じてRAM205に転送されるようになっている。
【００２２】
HDD211は、RAM等に転送されるOSやプログラムを格納したり、装置が動作中に画像データを格納したり、読出すために使用されるハードディスク（HDD）である。
【００２３】
I/F212は、HDD211、CD208、FD209、DVD210などに記憶されている画像データや文字データをプリンタ218を用いて紙媒体に出力するためにこれらと接続されるプリンタインターフェイス（I/F）である。
【００２４】
以上、本実施形態に適用可能な画像処理装置11、複写装置12、及び情報処理装置13のハードウェア構成について説明した。
【００２５】
＜画像処理装置の機能構成＞
以下、図２および図３を用いて本実施形態に適応される画像処理装置11を説明する。
【００２６】
図３は、本実施形態における画像処理装置11の主要な機能構成を説明するブロック図である。なお、以下の説明では、図２のコンピュータ201に電源が投入され、OSがRAM205にロードされ、しかる後に、本実施形態で説明する処理を行うアプリケーションがRAM205にロードされている場合である。従って、各処理手段は、該当するプログラム及びそれを実行するCPU203、場合によっては周辺のハードウェアでもって実現することになる。
【００２７】
図３に示すように、本実施形態における画像処理装置11は、課金先及び課金方法を示す情報が付加された情報付文書を生成する装置であって、画像データ入力手段301、課金先・課金方法情報入力手段302、付加手段303、出力手段304から構成される。
【００２８】
なお、ここで説明する課金先及び課金方法を示す情報が付加された情報付文書を生成する処理はソフトウェア処理により実現されても良い。その場合には、上記各手段は上記処理に必要な機能を概念的なものとして捉えたものと考慮されるべきものである。
【００２９】
まず、画像データ入力手段301について説明する。
【００３０】
画像データ入力手段301は、オリジナル文書から電子データとして扱える画像データIを生成する手段である。
【００３１】
オリジナル文書の取得方法は、図２におけるROM204、RAM205、CD208、FD209、DVD210、HDD211などに予め記憶されている画像データを読み出すことや、モデム214を用いてネットワークを通じて画像データを受信して用いることや、スキャナ217を用いて紙に印刷されている原稿をデジタル化するなど種々の方法を用いることが可能であり、入力元は如何なるものでも構わない。画像データ入力手段101において生成した画像データＩは一旦RAM205に保持される。
【００３２】
なお、オリジナル文書が、テキストデータ（アスキーコードなどによる記述）やアプリケーションに依存したデータ（PDFなど）などで入力された場合には、これらのデータを画像データに変換するための処理を行う。
【００３３】
次に、課金先・課金方法情報入力手段302について説明する。
【００３４】
課金先・課金方法情報入力手段302は、課金先情報PIおよび課金方法情報MIを生成する手段である。
【００３５】
課金先情報および課金方法情報は、図２のキーボード216により入力され、電子データとして扱える課金先情報PIおよび課金方法情報MIに変換され、一旦RAM205に保持される。
【００３６】
ここで、課金先情報は例えばURL（Universal Resource Locator）であり、事前に情報処理装置13の管理者に利用申込と複写料金を支払うと、管理者はユーザー情報、料金、パスワードを記したデータUinfを作成し、情報処理装置13に保持させる。このUinfを保持させている場所を示すものがURL（Universal Resource Locator）であり、利用申込処理が完了すると情報処理装置13の管理者からパスワードとURLがユーザーへ送られてくる。
【００３７】
また、課金方法情報とは、例えば上記URLを用いた引き落としによる方法の場合はMI1、プリペイドカードを用いた方法の場合はMI2、従来通りの現金投入による方法ならばMI3、などのように決めておき、複写の際、URLを用いた引き落とし方法のみ使用させたい場合はMI1のみ生成し、すべての方法を使用させたい場合はMI1、MI2、MI3を生成する。
【００３８】
次に、付加手段303について説明する。
【００３９】
付加手段303は、画像データ入力手段301で生成された画像データIに、課金先・課金方法情報入力手段で生成された課金先情報PIおよび課金方法情報MIを付加する手段である。
【００４０】
前記画像データ入力手段101によって生成された画像データIと課金先・課金方法情報入力手段で生成された課金先情報PIおよび課金方法情報MIをRAM205より入力し、入力された画像データIに課金先情報PIおよび課金方法情報MIを付加し、付加された画像データを画像データIinfとして、一旦RAM205に保持される。
【００４１】
ここで、情報の付加方法について説明する。課金先及び課金方法を示す情報の付加方法の一例として電子透かし技術を用いる方法がある。本発明は、課金先及び課金方法を示す情報を付加した紙媒体として流通するため, 静止画像に対する電子透かし技術を適応することが可能である。つまり、課金先及び課金方法を示す情報を電子透かしデータとして埋め込むことにより、紙媒体に課金先及び課金方法を示す情報を付加できる。
【００４２】
静止画像に対して電子透かしデータを埋め込む方法は、空間領域に埋め込む方式と周波数領域に埋め込む方法の二つに分類できる。
【００４３】
空間領域に埋め込む方式の例としては、パッチワークを用いた方式 (W. Bender, D. Gruhl, N. Morimoto, Techniques for DATA Hiding, Proceedings of the SPIE, SAn Jose CA, USA, February 1995) などが挙げられる。
【００４４】
周波数領域に埋め込む方式の例としては、離散コサイン変換を利用する方式 (中村, 小川, 高嶋,“デジタル画像の著作権保護のための周波数領域における電子透かし方式”, 1997年暗号と情報セキュリティシンポジウム講演論文集, SCIS'97-26A, 1997) の他に、 離散フーリエ変換を利用する方式 (大西, 岡, 松井,“PN系列による画像への透かし署名法”,1997年暗号と情報セキュリティシンポジウム講演論文集, SCIS'97-26B, 1997) や離散ウェーブレット変換を利用する方式 (石塚, 坂井, 櫻井,“ウェーブレット変換を用いた電子透かし技術の安全性と信頼性に関する実験的考察”, 1997年暗号と情報セキュリティシンポジウム講演論文集, SCIS'97-26D, 1997) 、 (井上, 宮崎, 山本, 桂,“ウェーブレット変換に基づくデジタル・ウォーターマーク−画像圧縮, 変換処理に対するロバスト性について−”, 1998年暗号と情報セキュリティシンポジウム講演論文集, SCIS'98-3.2.A, 1998) などが挙げられる。
【００４５】
また、コンテンツが文書である場合に、コンテンツを静止画像として扱うのでなく、文字列として扱うことにより埋め込む方式 (中村, 松井,“著作権保護のための電子文書のハードコピーへの署名埋め込み”,情報処理学会論文誌, Vol.36, No.8, 1995) も挙げられる。
【００４６】
しかし、本発明は電子透かし技術自身の発明ではなく、かつ特定の電子透かし技術に特化した発明でもないため、個々の電子透かし技術に関する詳細な説明は省略する。
【００４７】
なお、本発明は電子透かしに限定されることなく、例えばバーコードやQRコードとして課金先情報PIおよび課金方法情報MIを付加することも可能である。
【００４８】
次に、出力手段304について説明する。
【００４９】
出力手段304は、課金先及び課金方法を示す情報が付加された情報付文書を紙媒体として出力する手段であって、RAM205より画像データIinfが入力され、入力された画像データIinfをプリンタ218を用いて紙媒体に出力される。出力されたものを情報付文書Pとする。
【００５０】
以上、本実施形態における画像処理装置11の主要な機能構成を説明した。
【００５１】
＜情報付文書生成処理＞
ここで、本実施形態において、前述した画像処理装置11を用いて実行される、課金先および課金方法を示す情報が付加された情報付文書の生成処理を、図２、図３および図４を用いて説明する。図４は、本実施形態に適応可能な情報付文書生成処理を示すフローチャートである。なお、情報付文書生成処理は、先ほどの図３の機能構成部分で詳細に説明したので、ここでは簡単な流れのみを説明する。
【００５２】
まず、マウス215またはキーボード216を用いてユーザーから情報付文書の生成処理の指示がなされると、画像データ入力手段301は、オリジナル文書から電子データとして扱える画像データIを生成する（S401）。前述したように、オリジナル文書の取得方法は、外部記憶装置（ROM204、RAM205、CD208、FD209、DVD210、HDD211など）やネットワークを通じて電子データとして取得しても、スキャナ217を用いて紙に印刷されている原稿をデジタル化して取得してもよく、入力元は如何なるものでも構わない。
【００５３】
なお、オリジナル文書が、テキストデータ（アスキーコードなどによる記述）やアプリケーションに依存したデータ（PDFなど）などで入力された場合には、これらのデータを画像データに変換するための処理を行う。
【００５４】
生成された画像データIをRAM205に保持する。
【００５５】
次に、ユーザーはマウス215やキーボード216を用いて課金先情報および課金方法情報を入力する（S402）。前述したように、課金先情報は例えばURL（Universal Resource Locator）であり、事前に情報処理装置13の管理者に利用申込と複写料金を支払い、利用申込処理が完了すると情報処理装置13の管理者から送られてくる。また、課金方法情報は、例えば上記URLを用いた引き落としによる方法、プリペイドカードを用いた方法、従来通りの現金投入による方法などを示す情報である。
【００５６】
その後、課金先・課金方法情報入力手段302は、入力された課金先情報および課金方法情報を、電子データとして扱える課金先情報PIおよび課金方法情報MIに変換し、RAM205に保持する。
【００５７】
そして、付加手段303は、画像データ入力手段101によって生成された画像データIと課金先・課金方法情報入力手段で生成された課金先情報PIおよび課金方法情報MIをRAM205から取得し、画像データIに課金先情報PIおよび課金方法情報MIを付加し、付加された画像データを画像データIinfとして、RAM205に保持する（S403）。
【００５８】
最後に、出力手段304は、付加手段303によって生成された画像データIinfをRAM205から取得し、画像データIinfをプリンタ218を用いて紙媒体に出力する（S404）。出力したものを情報付文書Pとする。
【００５９】
以上、課金先および課金方法を示す情報が付加された情報付文書の生成処理について説明した。
【００６０】
以下では、上記画像処理装置11によって生成された課金先及び課金方法を示す情報が付加された情報付文書を複写する際に適応される複写装置12及び情報処理装置13の機能構成、ならびに複写処理に関する一連の流れを説明する。
【００６１】
＜複写装置の機能構成＞
次に、図5に、本実施形態における複写装置12の主要な機能構成を説明するブロック図を示す。
【００６２】
図5に示すように、本実施形態における複写装置12は、情報付文書Pから複写文書Cを生成する装置であって、複写文書生成手段501、抽出手段502、選択手段503、出力手段504から構成される。
【００６３】
まず、複写文書生成手段501について説明する。
【００６４】
複写文書生成手段501は、情報付文書Pから電子データとして扱える画像データIinf2を生成する手段である。
【００６５】
スキャナ217を用いて情報付文書Pをデジタル化し、画像データIinf2を生成する。複写文書生成手段501において生成した画像データIinf2は一旦RAM205に保持される。
【００６６】
次に、抽出手段502について説明する。
【００６７】
抽出手段502は、複写文書生成手段501で生成された画像データIinf2から、課金先情報PIおよび課金方法情報MIを抽出する手段である。
【００６８】
複写文書生成手段501で生成された画像データIinf2をRAM205から入力し、画像データIinf2から課金先情報PIおよび課金方法情報MIを抽出する。
【００６９】
なお、抽出方法については、前記画像処理装置11で処理された付加方法に依存する。
【００７０】
つまり、画像データIに課金先情報PIおよび課金方法情報MIを付加する方法が電子透かし技術を用いてなされた場合、抽出には電子透かし技術を用いて抽出を行う。
【００７１】
抽出された課金先情報PIおよび課金方法情報MIは、一旦RAM205に保持される。
【００７２】
次に、選択手段503について説明する。
【００７３】
選択手段503は、情報処理装置13との通信を行い、複写料金の課金方法を選択する手段であって、抽出手段502より生成された課金先情報PIおよび課金方法情報MI をRAM205より入力し、課金方法情報MIをモニタ202に表示する。
【００７４】
図８に、課金方法情報MIをモニタ202に表示した一例を示す。
【００７５】
例えば、課金方法情報を、URLを用いた引き落としによる方法をMI1、プリペイドカードを用いた方法をMI2、従来通りの現金投入による方法をMI3として、RAM205より入力された課金方法情報MIにMI1、MI2、MI3が含まれていた場合、URLを用いた「引き落とし」、「プリペイドカード使用」、「現金」のいずれかを選択可能である。また、課金方法情報MIにMI3のみ含まれていた場合は、従来通りの現金投入による課金のみとなる。
【００７６】
そして、ユーザーは図８のように表示された課金方法情報から課金方法を選択する。
【００７７】
ここでモニタ202は、タッチパネルのように指や専用のペンで画面に触れることで、操作出来るようにしてもよい。また、モニタ202がタッチパネルのようでなくても、マウス215や、キーボード216を用いて操作してもよい。
【００７８】
タッチパネルの場合、例えば、URLを用いた引き落としを行いたい場合、図８のように表示された課金方法の「URL使用（引き落とし）」部分を指や専用のペンで触れることで課金方法を選択可能である。
【００７９】
選択したものがURLを用いないもの、つまり、「現金」、「プリペイドカード使用」の場合、選択手段503は、モニタ202に印刷情報Cinfを入力させる指示を表示する。ここで印刷情報Cinfとは、カラー印刷、単色印刷、白黒印刷、印刷枚数、合計料金などを示す情報である。なお、合計料金はユーザーが入力できないものとする。図９に印刷情報Cinfの入力指示表示の一例を示す。図９に示すように、ユーザーが、カラー印刷、単色印刷、白黒印刷かを選択し、印刷枚数を入力することが出来る。次に、ユーザーによって印刷情報Cinfが入力された後、モニタ202に「現金を投入してください」または「プリペイドカードを挿入してください」などの意味を示す指示情報を供給し、モニタ202は指示情報を表示する。図10、図11に指示情報表示の一例を示す。
【００８０】
図10は「現金」の課金方法を選択した場合の表示例である。図10に示すように、指示情報と必要金額、投入金額が表示される。図11は「プリペイドカード」の課金方法を選択した場合の表示例である。図11に示すように、指示情報と必要金額、プリペイドカードの残金が表示される。
【００８１】
ユーザーが図10、図11のように示される指示情報に従い、課金処理を行った後、課金処理結果情報RIを生成し、一旦RAM205に保持される。
【００８２】
選択したものがURLを用いるものである場合、まず、モニタ202に印刷情報Cinfを入力させる指示を表示する（図９）。次に、ユーザーによって印刷情報Cinfが入力された後、モニタ202にパスワードを入力する指示を表示させる。図12にパスワードを入力する指示の一例を示す。図12に示すように、指示情報とパスワード、確認入力が表示される。ユーザーによってパスワードが入力された後、パスワード情報をPassとして、入力された印刷情報Cinf、Passを情報処理装置13（課金先情報PIに記されている場所）に送信する。
【００８３】
また、情報処理装置13より課金処理結果を示す情報SIを受信した場合、受信後に課金処理結果情報RIを生成し、一旦RAM205に保持される。
【００８４】
次に、出力手段504について説明する。
【００８５】
出力手段504は、複製文書Cを紙媒体として出力する手段であって、RAM205より画像データIinf2と課金処理結果情報RIが入力され、課金処理結果情報RIが正しく処理されたことを示す情報であった場合、入力された画像データIinf2をプリンタ218を用いて紙媒体に出力する。出力されたものを複製文書Cとする。
【００８６】
課金処理結果情報RIが正しく処理されなかったことを示す情報であった場合、モニタ202に正しく処理されなかったことを示す情報を供給し、モニタ202は「料金が不足しています」、「正しく課金されませんでした」などのエラーである意味を示す情報を表示させる。
【００８７】
図13、図14に処理結果表示の一例を示す。図13は、課金処理時に料金が不足した場合の処理結果の表示例である。図14は入力したPassが正しくないまたは情報処理装置13にユーザーデータがない場合の処理結果の表示例である。
【００８８】
なお、料金が不足している場合は、「現金」、「プリペイドカード」などのほかの課金方法に変更することも可能である。
【００８９】
以上、本実施形態における複写装置12の主要な機能構成について説明した。
【００９０】
＜情報処理装置の機能構成＞
次に、図6に、本実施形態における情報処理装置13の主要な機能構成を説明するブロック図を示す。
【００９１】
図6に示すように、本実施形態における情報処理装置13は、情報付文書Pから複文書Cを生成する際の複写料金の課金処理をおこなう装置であって、検証手段601、課金処理手段602、保持手段603から構成される。
【００９２】
まず、検証手段601について説明する。
【００９３】
検証手段601は、複写装置12との通信を行い、複写装置12から送信された印刷情報CinfとPassを受信し、Passが正しいか否かの検証を行う手段であって、保持手段603に保持されているユーザーデータUinfのパスワードと複写装置12から送信されたPassとの比較を行う。
【００９４】
送信されたPassが正しい場合、Passが正しいことを示す情報と印刷情報Cinfを課金処理手段602に供給する。
【００９５】
送信されたPassが正しくない場合、Passが正しくないことを示す情報を課金処理手段602に供給する。
【００９６】
送信されたPassがない場合、つまりユーザーデータUinf がない場合は、Passがないまたは、ユーザーデータがないことを示す情報を課金処理手段602に供給する。
【００９７】
次に、課金処理手段602について説明する。
【００９８】
課金処理手段602は、複写装置12との通信を行い、保持手段603に保持されているユーザーデータUinfの料金から複写する複写料金の課金処理をおこなう手段であって、検証手段601からPassが正しいことを示す情報が供給された場合、ユーザーデータUinfの料金から複写装置12より送信された印刷情報Cinfの合計料金を引く。
【００９９】
そして、正常に料金を引くことができた場合、正常に処理が終了したことを示すデータ（課金処理結果情報SI）を複写装置12に送信する。
【０１００】
また、ユーザーデータUinfの料金が少なかった場合、課金処理手段602は、料金が不足していることを示すデータ（課金処理結果情報SI）を複写装置12に送信する。
【０１０１】
検証手段601からPassが正しくないことを示す情報が供給された場合、課金処理手段602は複写装置12に、Passが正しくないことを示す情報（課金処理結果情報SI）を送信する。
【０１０２】
検証手段601からPassがないまたはユーザーデータがないことを示す情報が供給された場合、課金処理手段602は複写装置12に、Passがないまたはユーザーデータがないことを示す情報（課金処理結果情報SI）を送信する。
【０１０３】
次に、保持手段603について説明する。
【０１０４】
保持手段603は、ユーザーデータUinfと複写履歴情報Logを保持する手段である。
【０１０５】
ここで、ユーザーデータUinfとは、管理者が作成するユーザー情報、料金、パスワードを記したデータであり、前述したように、事前にユーザーが、情報処理装置13の管理者に利用申込と複写料金を支払うと、管理者はユーザー情報、料金、パスワードを記したユーザーデータUinfを作成する。そして、このユーザーデータUinfを保持手段605に保持させる。
【０１０６】
また、複写装置12より、印刷情報CinfとPassが送信され、検証手段601よりPassが正しいものと判断され、課金処理手段602で課金処理がなされた後、保持手段603は、日時情報T、印刷情報Cinfを複写履歴情報Logとして保持する。
【０１０７】
以上、本実施形態における情報処理装置13の主要な機能構成について説明した。
【０１０８】
＜複写処理＞
ここで、本実施形態において、前述した複写装置12および情報処理装置13を用いて実行される複写処理を、図５、図６および図７、図８を用いて説明する。図７は、本実施形態に適応可能な複写処理のフローチャートである。なお、複写処理は、先ほどの機能構成部分で詳細に説明したので、ここでは簡単な流れのみを説明する。
【０１０９】
まず、複写装置12に情報付文書Pをセットする。そして、マウス215またはキーボード216を用いてユーザーから複写文書Cの生成処理の指示がなされると、複写文書生成手段501は、スキャナ217を用いて情報付文書Pをデジタル化し、画像データIinf2を生成する（S701）。複写文書生成手段501において生成した画像データIinf2は一旦RAM205に保持される。
【０１１０】
次に、抽出手段502は、複写文書生成手段501で生成された画像データIinf2をRAM205から入力し、画像データIinf2から課金先情報PIおよび課金方法情報MIを抽出する（S702）。
【０１１１】
抽出された課金先情報PIおよび課金方法情報MIは、一旦RAM205に保持される。
【０１１２】
次に、選択手段503は、抽出手段502より生成された課金先情報PIおよび課金方法情報MI をRAM205より入力し、課金方法情報MIをモニタ202に表示する（S703）。
【０１１３】
例えば、課金方法情報を、URLを用いた引き落としによる方法をMI1、プリペイドカードを用いた方法をMI2、従来通りの現金投入による方法をMI3として、RAM205より入力された課金方法情報MIにMI1、MI2、MI3が含まれていた場合、URLを用いた「引き落とし」、「プリペイドカード使用」、「現金」のいずれかを選択可能である。
【０１１４】
ユーザは表示された課金方法情報から課金方法を選択する（S704）。
【０１１５】
選択したものがURLを用いないもの、つまり、「現金」、「プリペイドカード使用」の場合、選択手段503は、モニタ202に印刷情報Cinfを入力させる指示を表示する。次に、ユーザーによって印刷情報Cinfが入力された後（S705）、選択手段503は、モニタ202に「現金を投入してください」または「プリペイドカードを挿入してください」などの意味を示す指示情報を供給し、モニタ202は指示情報を表示する。
【０１１６】
ユーザーが指示情報に従い、課金処理を行った後（S706）、選択手段503は、課金処理結果情報RIを生成し（S717）、課金処理結果情報RIは一旦RAM205に保持される。
【０１１７】
選択したものがURLを用いるものである場合、まず、モニタ202に印刷情報Cinfを入力させる指示を表示する。次に、ユーザーによって印刷情報Cinfが入力された後（S707）、モニタ202にパスワードを入力する指示を表示させる。ユーザーによってパスワードが入力された後（S708）、選択手段503は、パスワード情報をPassとして、入力された印刷情報Cinf、Passを情報処理装置13（課金先情報PIに記されている場所）に送信する。
【０１１８】
そして、情報処理装置13の検証手段601は、複写装置12の選択手段503から送信された印刷情報CinfとPassを受信し（S709）、保持手段603に保持されているユーザーデータUinfのパスワードと複写装置12から送信されたPassとの比較を行う（S710）。
【０１１９】
送信されたPassが正しい場合、検証手段601は、Passが正しいことを示す情報と印刷情報Cinfを課金処理手段602に供給する。
【０１２０】
送信されたPassが正しくない場合、検証手段601は、Passが正しくないことを示す情報を課金処理手段602に供給する。
【０１２１】
次に、課金処理手段602は、検証手段601からPassが正しいことを示す情報が供給された場合、ユーザーデータUinfの料金から複写装置12より送信された印刷情報Cinfの料金を引く（S711）。そして、正常に料金を引くことができた場合、正常に処理が終了したことを示すデータ（課金処理結果情報SI）を生成し（S712）、複写装置12に送信する（S713）。
【０１２２】
また、ユーザーデータUinfの料金が少なかった場合、課金処理手段602は、料金が不足していることを示すデータ（課金処理結果情報SI）を生成し、複写装置12に送信する。
【０１２３】
検証手段601からPassが正しくないことを示す情報が供給された場合、課金処理手段602は、Passが正しくないことを示す情報（課金処理結果情報SI）を生成し、複写装置12に送信する。
【０１２４】
次に、保持手段603は、複写装置12より、印刷情報CinfとPassが送信され、検証手段601よりPassが正しいものと判断され、課金処理手段602で課金処理がなされた後、日時情報T、印刷情報Cinfを複写履歴情報Logとして保持する（S714）。
【０１２５】
そして、複写装置12の選択手段503は、情報処理装置13より課金処理結果を示す情報SIを受信した後（S715）、課金処理結果情報RIを生成し（S716）、一旦RAM205に保持する。
【０１２６】
最後に出力手段504は、RAM205より画像データIinf2と課金処理結果情報RIが入力され、課金処理結果情報RIが正しく処理されたことを示す情報であった場合、入力された画像データIinf2をプリンタ218を用いて紙媒体に出力する（S717）。出力されたものを複製文書Cとする。
【０１２７】
課金処理結果情報RIが正しく処理されなかったことを示す情報であった場合、モニタ202に正しく処理されなかったことを示す情報を供給し、モニタ202は「料金が不足しています」「正しく課金されませんでした」などのエラーである意味を示す情報を表示させ（S717）、処理を終了する。
【０１２８】
以上、説明したように本実施形態によれば、課金先及び課金方法を示す情報を複数原稿に付加することにより、紙媒体の文書を複写する際、料金をその場で支払わなくても複写を行うことが可能であり、また、状況に応じて、ユーザーが課金方法を選択することが可能である。
【図面の簡単な説明】
【０１２９】
【図１】本実施形態における複写料金課金システム全体の機能構成を示すブロック図である。
【図２】本実施形態におけるハードウェア構成を示すブロック図である。
【図３】本実施形態における画像処理装置の主要な機能構成を説明するブロック図である。
【図４】本実施形態における情報付文書生成処理を説明するフローチャートである。
【図５】本実施形態における複写装置の主要な機能構成を説明するブロック図である。
【図６】本実施形態における情報処理装置の主要な機能構成を説明するブロック図である。
【図７】本実施形態における複写処理を説明するフローチャートである。
【図８】実施形態における複写装置の課金方法選択の表示例を示す図である。
【図９】本実施形態における複写装置の印刷情報入力の表示例を示す図である。
【図１０】本実施形態における複写装置の課金指示情報の表示例（現金）を示す図である。
【図１１】本実施形態における複写装置の課金指示情報の表示例（プリペイドカード）を示す図である。
【図１２】本実施形態における複写装置のパスワード入力の表示例を示す図である。
【図１３】本実施形態における複写装置の処理結果の表示例（料金不足）を示す図である。
【図１４】本実施形態における複写装置の処理結果の表示例（Passエラーまたはユーザーデータエラー）を示す図である。
【符号の説明】
【０１３０】
11  画像処理装置
12  複写装置
13  情報処理装置
【図１】
2010011045.tif 000003
【図２】
2010011045.tif 000004
【図３】
2010011045.tif 000005
【図４】
2010011045.tif 000006
【図５】
2010011045.tif 000007
【図６】
2010011045.tif 000008
【図７】
2010011045.tif 000009
【図８】
2010011045.tif 000010
【図９】
2010011045.tif 000011
【図１０】
2010011045.tif 000012
【図１１】
2010011045.tif 000013
【図１２】
2010011045.tif 000014
【図１３】
2010011045.tif 000015
【図１４】
2010011045.tif 000016